(57)【要約】      （修正有）【課題】規格の異なる複数種類の携帯電話機用の電源アダプタ、可搬型音楽再生機用の電源アダプタ、パーソナルコンピュータのＵＳＢ（登録商標、以下同様）ジャックを使用して電源としたり充電することが可能な、電動式マッサージ器用の電源アダプタ及びこの電源アダプタ付きの電動式マッサージ器を提供する。【解決手段】電動式マッサージ器に設けられた電源用ジャックに接続する電源用プラグ７０と、各社の携帯電話機用の電源アダプタの各々の電源用プラグに接続する電源用ジャック７３，７４と、可搬型音楽再生機用の電源アダプタの電源用プラグに接続する電源用ジャックと、パーソナルコンピュータのＵＳＢジャックに接続して電力の供給を受けるためのＵＳＢプラグ７１と、を備えている電動式のマッサージ器用の電源アダプタ７とした。またこの電源アダプタが付属した電動式マッサージ器とした。【選択図】図６
0003155237.tif 000002
【実用新案登録請求の範囲】
【請求項１】
電動式マッサージ器に設けられた電源用ジャックに接続する電源用プラグと、複数種類の携帯電話機用の電源アダプタの各々の電源用プラグに接続する電源用ジャックと、可搬型音楽再生機用の電源アダプタの電源用プラグに接続する電源用ジャックと、パーソナルコンピュータのＵＳＢ（商標、以下同様）ジャックに接続して電力の供給を受けるためのＵＳＢプラグと、を備えている電動式マッサージ器用の電源アダプタ。
【請求項２】
更に、前記電源用プラグの電源コードを巻き取るためのコードリールを備えている、請求項１に記載の電動式マッサージ器用の電源アダプタ。
【請求項３】
電動式マッサージ器に設けられた電源用ジャックに接続する電源用プラグと、複数種類の携帯電話機用の電源アダプタの各々の電源用プラグに接続する電源用ジャックと、可搬型音楽再生機用の電源アダプタの電源用プラグに接続する電源用ジャックと、パーソナルコンピュータのＵＳＢジャックに接続して電力の供給を受けるためのＵＳＢプラグと、を備えた電動式マッサージ器用の電源アダプタを有する、電源アダプタ付きの電動式マッサージ器。
【請求項４】
電動式マッサージ器の前記電源用ジャックと、これに接続する前記電源用プラグとの間に防水手段が設けられている、請求項３に記載の電源アダプタ付きの電動式マッサージ器。
【請求項５】
前記防水手段が前記電源用ジャックに設けられた防水式蓋部である、請求項４に記載の電源アダプタ付きの電動式マッサージ器。
【請求項６】
電動式マッサージ器の前記電源用ジャックに、この電源用ジャックに接続する電源用プラグとの間を液密に保つためのシリコンゴムなどによるパッキンが設けられて前記防水手段を構成している、請求項４に記載の電源アダプタ付きの電動式マッサージ器。
【請求項７】
更に、前記電源アダプタが、前記電源用プラグの電源コードを巻き取るためのコードリールを備えている、請求項３に記載の電源アダプタ付きの電動式マッサージ器。
【考案の詳細な説明】
【技術分野】
【０００１】  本考案は、規格の異なる複数種類の携帯電話機用の電源アダプタ、可搬型音楽再生機用の電源アダプタ、パーソナルコンピュータのＵＳＢ（登録商標、以下同様）ジャックを使用して電源としたり充電することが可能な、電動式マッサージ器用の電源アダプタ及びこの電源アダプタ付きの電動式マッサージ器に関する。
【背景技術】
【０００２】  現在生活に於て人々は常に多数の携帯用電子機器を身に付けているため、各々の電子機器に対応する電源アダプタや充電器と言ったものを常時用意しておかざるを得ない状況にある。例えば携帯電話器を複数台使用している人はこれに対応する各々の電源アダプタ／充電器を用意している。携帯電話器以外にもｉＰｏｄ（登録商標、以下同様）のような携帯音楽プレーヤやＵＳＢポートを備えた小型のパーソナルコンピュータを持ち歩いている人は数多くおり、その各々に対応する電源アダプタ／充電器を所有しているが、そもそも電源アダプタ／充電器と言うものは総じて大きく重量があり取り扱いに困るものである。【０００３】  ところで同様の携帯機器に肩懲り等を解すための電動式マッサージ器がある。このものは振動発生部に、例えば特開平１１−２０６８３３号のように回転軸に偏心分銅を取り付けた電動モータを備えており、スイッチをＯＮにするとモータが回転して、回転軸に設けた偏心分銅の作用によりマッサージ振動を発生すると言うものである。このような電動式マッサージ器は、手で持って肩などの患部に当てるものであるため、重量を出来るだけ軽くしたいと言う要望が強く、電源を別体にすることが多い。従ってこのような場合には専用の電源アダプタ／充電器を用意しておく必要がある。
【特許文献１】特開平１１−２０６８３３（第３実施例、図５）
【考案の開示】
【考案が解決しようとする課題】
【０００４】  しかしながらこのような電動式マッサージ器に付いて電源アダプタ／充電器を不要とすることが出来れば、軽快に持ち歩くことが可能になる。【０００５】  そこで本考案は電動式マッサージ器を携帯する際に大きく重く取り扱いに困るような電源アダプタ／充電器を持たなくて済むようにすることを課題とする。
【課題を解決するための手段】
【０００６】  この課題の解決に先立ち当考案者は、携帯機器の内でも人々が最優先で（あるいは優先度が高く）持ち歩く携帯電話器や携帯音楽プレーヤや小型のパーソナルコンピュータの電源アダプタ／充電器を、電動式マッサージ器の電源アダプタ／充電器として流用するようにすれば良いと言う知見を得た。上記携帯機器の何れかは必ず持ち歩いているのであるから、自己の所有に係る機種の電源アダプタ／充電器が利用出来るようにすれば共用となり便利であり、電動式マッサージ器の専用の電源アダプタ／充電器をわざわざ持ち歩かなくて済む。従ってそのようなことを可能にする電源アダプタを提供すれば良い。【０００７】  そこで本考案は、電動式マッサージ器に設けられた電源用ジャックに接続する電源用プラグと、各社の携帯電話機用の電源アダプタの各々の電源用プラグに接続する電源用ジャックと、可搬型音楽再生機用の電源アダプタの電源用プラグに接続する電源用ジャックと、パーソナルコンピュータのＵＳＢジャックに接続して電力の供給を受けるためのＵＳＢプラグと、を備えている電動式のマッサージ器用の電源アダプタとした。【０００８】  上述したように携帯電話器や携帯音楽プレーヤや小型パーソナルコンピュータの何れか一の電源アダプタ／充電器は常時携帯するものとして、これとこの電源アダプタとを使用すれば、電動式マッサージ器の専用の電源アダプタ／充電器を使用しなくとも電動式マッサージ器用には間に合うことになる。【０００９】  電動式マッサージ器に設けられた電源用ジャックに、本考案の電源アダプタの電源用プラグを接続し、本考案の電源アダプタの前記何れか一の携帯機器の接続口に、その所持する携帯機器の電源アダプタ／充電器を接続して、コンセントにこの電源アダプタ／充電器を接続すれば、本考案の電源アダプタを介して電動式マッサージ器に電力の供給が開始される。【００１０】  また本考案は、電動式マッサージ器に設けられた電源用ジャックに接続する電源用プラグと、各社の携帯電話機用の電源アダプタの各々の電源用プラグに接続する電源用ジャックと、可搬型音楽再生機用の電源アダプタの電源用プラグに接続する電源用ジャックと、パーソナルコンピュータのＵＳＢジャックに接続して電力の供給を受けるためのＵＳＢプラグと、を備えた電動式のマッサージ器用の電源アダプタを有する、電源アダプタ付きの電動式マッサージ器とした。【００１１】  本考案は上述の電源アダプタと電動式マッサージ器とをセットにしたものである。電源アダプタは電動式マッサージ器に対して電気的な接続／非接続が自由である。【００１２】  このような電源アダプタ付き電動式マッサージ器に付いて、電動式マッサージ器の前記電源用ジャックとこれに接続する前記電源用プラグとの間に防水手段が設けられているものとすることが出来る。【００１３】  風呂場などの水周りで使用する電動式マッサージ器の場合、本体に防水性能が付与されているのであれば、電源アダプタとの関係に付いても防水性を有するものであることが望まれる。そこで電動式マッサージ器の電源用ジャックとこれに接続する前記電源用プラグとの間を防水にしたのである。【００１４】  なお電動式マッサージ器に電源アダプタが接続されていない場合に、水が電源用ジャックから電動式マッサージ器の内部に浸入しないようにするために、前記防水手段が前記電源用ジャックに設けられた防水式蓋部であるものとすることが出来る。【００１５】  また電動式マッサージ器に電源アダプタが接続されていてもいなくとも、水が電源用ジャックから電動式マッサージ器の内部に浸入しないようにするために、電動式マッサージ器の電源用ジャックに、この電源用ジャックに接続する電源用プラグとの間を液密に保つためのシリコンゴムなどによるパッキンが設けられて前記防水手段を構成しているものとすることが出来る。【００１６】  なお上述の電源アダプタにしても、この電源アダプタ付きの電動式マッサージ器にしても、電源アダプタが更に前記電源用プラグの電源コードを巻き取るためのコードリールを備えているものとしても良い。携帯に便利な電源アダプタであるから、コードリールによって電源コードを巻き取り収納することが出来るような構成は極めて有益である。
【考案の効果】
【００１７】  本考案の電源アダプタを電動式マッサージ器と共に持ち歩くようにするたげで、必ず携帯していると言って過言ではない携帯電話器や携帯音楽プレーヤや小型のパーソナルコンピュータの電源アダプタ／充電器を、この電動式マッサージ器の電源アダプタ／充電器として流用することが可能になる。これにより電動式マッサージ器を携帯する際に大きく重く取り扱いに困るような電源アダプタ／充電器を持たなくて済むと言う効果を奏する。
【考案を実施するための最良の形態】
【００１８】  以下では本考案の実施形態５種を図面を参照しつつ説明するが、本考案はこれ等に限定されるものではない。【００１９】  本考案の第１実施形態を図１乃至図３を用いて説明する。図１はこの電源アダプタ１を斜視図で表したものであり、これを反対方向から表わしたものが図２であるが、電源アダプタ１のケーシングは合成樹脂製に成り、図３で表した電動式マッサージ器の電源用ジャック３２に接続する電源用プラグ１０と、パーソナルコンピュータのＵＳＢジャック（図示せず）に接続するためのＵＳＢプラグ１１と、携帯電話機ＦＯＭＡ（登録商標、以下同様）及びＳｏｆｔＢａｎｋ（登録商標、以下同様）社の携帯電話機の電源アダプタの電源用プラグ（図示せず）に接続するための電源用ジャック１２と、ａｕ（登録商標、以下同様）社の携帯電話機の電源アダプタの電源用プラグ（図示せず）に接続するための電源用ジャック１３と、並びにＳｏｆｔＢａｎｋ社の携帯電話機であるｉＰｈｏｎｅ（登録商標、以下同様）及びＡｐｐｌｅ（登録商標、以下同様）社のミュージック・プレーヤのｉＰｏｄ（登録商標、以下同様）の電源アダプタの電源用プラグ（図示せず）に接続するための電源用ジャック１４（図２）とを備えている。【００２０】  図３の電動式マッサージ器２のケーシングは合成樹脂製に成り、上述の電源用プラグ１０を差し込むための電源用ジャック３２を端部に備えた持ち手部分と、内部にモータ３を備えて肩などの患部に当てる半球体状のマッサージゴム２０を設けた部分とから成る。電動モータ３にはその回転軸に偏心分銅３０を固定しており、この電動モータ３と前記電源用ジャック３２とを接続する電源コード３３の中間に電源スイッチ３１を備えている。この使用法は前記マッサージゴム２０を患部に当てて電源スイッチ３１をＯＮ状態にするだけである。これにより電動モータ３が回転して、電動モータ３の回転軸に設けた偏心分銅３０の作用によりマッサージ振動を発生する。なおこれに先立って前記電源用ジャック３２に電源アダプタ１の電源用プラグ１０を差し込み、電源アダプタ１の前記ＵＳＢプラグ１１、電源用ジャック１２，１３，１４の何れか一に、これに適合する電源すなわちＵＳＢプラグ１１であるならばパーソナル・コンピュータのＵＳＢジャックを、電源用ジャック１２，１３，１４であれば対応するの携帯電話機の電源アダプタの電源用プラグを、電源用ジャック１４であればｉＰｏｄの電源アダプタの電源用プラグを、接続しておくのは言うまでもない。【００２１】  従って日本国内では上記何れかの携帯電話機またはｉＰｏｄを所有していれば、その電源アダプタを当該電動式マッサージ器３に流用することが出来るので、当該電動式マッサージ器３用の電源アダプタ／充電器を持ち歩かなくても済むのである。これは偏に本実施形態の電源アダプタ１のお陰である。【００２２】  次に、本考案の第２実施形態を図４を用いて説明する。例えば上述した図３の電動式マッサージ器２をアウトドアや風呂で使用すると言う場合に、電動式マッサージ器２には防水機能を付与することが好ましいが、そうであればこの接続部分で防水性が破られてしまわないように、前記電源用ジャック３２にも防水構造を備えることが望まれる。【００��３】  図４で表したようにこの実施形態によれば、ケーシング４０の口には蓋部４がヒンジ４１によって開閉自在に設けられており、前記ケーシング４０の口にゴムパッキン４６が取り付けられて前記蓋部４との間で防水性が保たれるように構成されている。また蓋部４の前記ヒンジ４１の反対側部には掛止突起４２が設けられており、これに対応するケーシング４０の部位に設けられた掛止突起４３とは蓋部４を閉じた時に両者の凸部が一体化するように構成されている。また切欠部４５を有する掛止具４４がケーシング４０のこの部位に回動自在に取り付けられており、この掛止具４４を蓋部４側に回した時に、前記掛止突起４２，４３の一体化した凸部を前記切欠部４５に潜らせると、掛止具４４が掛止突起４２を押さえて蓋部４が開かないように固定することが出来る。この時に前記ゴムパッキン４６が防水性を発揮するわけである。【００２４】  次に、本考案の第３実施形態を図５の模式図を用いて説明する。本実施形態の電源用プラグ５は、合成樹脂製のつまみの中に埋め込まれて先端を突出する接点金具としてのピン５０を備えていわゆるピンプラグを構成している。他方電源用ジャック６は前記ピン５０を挿入するための通路を有する防水ゴム６０と、前記ピン５０の接点金具に接触して通電可能となる接点回路６１とを備えていわゆるピンジャックを構成している。【００２５】  従ってピン５０部分を防水ゴム６０の前記通路部分に挿し込むと、ピン５０が防水ゴム６０に密着するため通路部分が塞がれて、この部位が防水されこの部位から湿気や水分が浸入することがなくなるのである。【００２６】  次に、本考案の第４実施形態を図６を用いて説明する。本実施形態の電源アダプタ７はその殆どの構成を上述した第１実施形態の電源アダプタ１に倣うものであって、電動式マッサージ器の電源用ジャックに接続する電源用プラグ７０と、パーソナルコンピュータのＵＳＢジャック（図示せず）に接続するためのＵＳＢプラグ７１と、前記ＦＯＭＡ及びＳｏｆｔＢａｎｋ社の携帯電話機用の電源アダプタの電源用プラグに接続するための電源用ジャック７２と、ａｕ社の携帯電話機の電源アダプタの電源用プラグに接続するための電源用ジャック７３と、並びにＳｏｆｔＢａｎｋ社の携帯電話機であるｉＰｈｏｎｅ及びＡｐｐｌｅ社の可搬型音楽再生機用の電源アダプタの電源用プラグに接続するための電源用ジャック７４とを備えている。更に本実施形態の電源アダプタ７には、前記電源用プラグ７０の電源コード７５を巻き取るためのコードリール７６を備えている。【００２７】  コードリール７６を右回転させると電源コード７５を巻き取ることが出来る。また電源用プラグ７０を摘んで引くと電源コード７５を引き出すことが出来る。この際にはコードリール７６は左巻に逆回転する。本考案によれば、電動式マッサージ器用の電源アダプタ／充電器を持たなくても済むのであるから、更に電源コード７５を電源アダプタ７の中に収納してしまえれば携帯に至便である。
【産業上の利用可能性】
【００２８】  本考案の電源アダプタは、その接続口を将来の携帯機器の規格の変化に合わせて行くことが可能である。なお電動式マッサージ器には、上述した振動発生部に回転軸に偏心分銅を取り付けた電動モータを備えたもの以外の構成を採用しても良い。また本考案は、上述した肩懲り等を解すためのもの以外にも、背中や腰や足裏用の電動式マッサージ器などに適用可能である。
【図面の簡単な説明】
【００２９】
【図１】  第１実施形態の電源アダプタの斜視図である。
【図２】  同実施形態の斜視図である。
【図３】  同実施形態の電動式マッサージ器の部分断面図である。
【図４】  第２実施形態の電動式マッサージ器の電源用ジャック周りの説明図である。
【図５】  第３実施形態の電源アダプタの電源用ジャック周りの模式図である。
【図６】  第４実施形態の電源アダプタの平面図である。
【符号の説明】
【００３０】  １    電源アダプタ        １０  電源用プラグ        １１  ＵＳＢプラグ
１２  電源用ジャック      １３  電源用ジャック      １４  電源用ジャック
２    電動式マッサージ器  ２０  マッサージゴム      ３    電動モータ
３０  偏心分銅            ３１  電源スイッチ        ３２  電源用ジャック
３３  電源コード          ４    蓋部                ４０  ケーシング
４１  ヒンジ              ４２  掛止突起            ４３  掛止突起
４４  掛止具              ４５  切欠部              ４６  ゴムパッキン
５    電源用プラグ        ５０  ピン                ６    電源用ジャック
６０  防水ゴム            ６１  接点回路            ７    電源アダプタ
７０  電源用プラグ        ７１  ＵＳＢプラグ        ７２  電源用ジャック
７３  電源用ジャック      ７４  電源用ジャック      ７５  電源コード
７６  コードリール
【図１】
0003155237.tif 000003
【図２】
0003155237.tif 000004
【図３】
0003155237.tif 000005
【図４】
0003155237.tif 000006
【図５】
0003155237.tif 000007
【図６】
0003155237.tif 000008